(57)【要約】【課題】相判別箇所において、高圧配電線路を構成する各相の配電線の相判別を、安価な装置を用いて簡易に行う。【解決手段】先ず、１つの配電線の対地電圧と、零相電圧をそれぞれ測定する。次に、対地電圧と、零相電圧との位相差を取得する。この相判別箇所での位相差と、相確定箇所で測定された確定位相差を比較することにより、相を判別する。【選択図】図６
2011242195.tif 000002
【特許請求の範囲】
【請求項１】
三相の配電線路を構成する各配電線の相を判別する方法であって、
相判別箇所において、
少なくとも１つの前記配電線の対地電圧と、零相電圧をそれぞれ測定する過程と、
前記対地電圧と、前記零相電圧との位相差を取得する過程と、
相確定箇所において、予め測定されている対地電圧及び零相電圧の確定位相差と、前記位相差とを比較して相を判別する過程と
を備えることを特徴とする相判別方法。
【請求項２】
請求項１に記載の相判別方法であって、
前記相判別箇所において、少なくとも１つの前記配電線の対地電圧と、零相電圧をそれぞれ同時に測定する
ことを特徴とする相判別方法。
【請求項３】
請求項１に記載の相判別方法であって、
前記相判別箇所において、３つの前記配電線の対地電圧を測定し、
３つの前記配電線の対地電圧を合成して零相電圧を取得する
ことを特徴とする相判別方法。
【請求項４】
請求項２に記載の相判別方法であって、
さらに、
予め前記相確定箇所において行われる、
３つの前記配電線の対地電圧と、零相電圧をそれぞれ同時に測定する過程と、
各相の前記対地電圧と、前記零相電圧との確定位相差を取得する過程と
を備える
ことを特徴とする相判別方法。
【請求項５】
請求項３に記載の相判別方法であって、
さらに、
予め前記相確定箇所において行われる、
３つの前記配電線の対地電圧を測定し、３つの前記配電線の対地電圧を合成して零相電圧を取得する過程と、
各相の前記対地電圧と、前記零相電圧との確定位相差を取得する過程と
を備える
ことを特徴とする相判別方法。
【請求項６】
請求項２又は４に記載の相判別方法であって、
三相の前記配電線に、それぞれ一端が接続される、３つの主高圧コンデンサと、
前記３つの主高圧コンデンサの他端に、それぞれ直列に設けられた３つの対地電圧測定用コンデンサと、
一端が３つの前記対地電圧測定用コンデンサに接続され、他端が接地される零相電圧測定用コンデンサと
を備える相判別装置を用いて行う
ことを特徴とする相判別方法。
【請求項７】
請求項６に記載の相判別方法であって、
対地電圧として、前記対地電圧測定用コンデンサの両端の電位差を取得するとともに、零相電圧として、前記零相電圧測定用コンデンサの両端の電位差を取得する電圧信号取得部と、
前記対地電圧と前記零相電圧の位相差を取得する位相差取得部と
を備える相判別装置を用いて行う
ことを特徴とする相判別方法。
【請求項８】
三相の配電線に、それぞれ一端が接続される、３つの主高圧コンデンサと、
前記３つの主高圧コンデンサの他端に、それぞれ直列に設けられた３つの対地電圧測定用コンデンサと、
一端が３つの前記対地電圧測定用コンデンサに接続され、他端が接地される零相電圧測定用コンデンサと
を備えることを特徴とする相判別装置。
【請求項９】
対地電圧として、前記対地電圧測定用コンデンサの両端の電位差を取得するとともに、零相電圧として、前記零相電圧測定用コンデンサの両端の電位差を取得する電圧信号取得部と、
前記対地電圧と前記零相電圧の位相差を取得する位相差取得部と
を備えることを特徴とする請求項８に記載の相判別装置。
【発明の詳細な説明】
【技術分野】
【０００１】
この発明は、高圧配電線路を構成する各相の配電線の相判別方法と、相判別に用いられる相判別装置に関するものである。
【背景技術】
【０００２】
近年、オール電化住宅の採用率が高まりつつあり、それにより低圧（２００Ｖあるいは１００Ｖ）供給用の単相変圧器の大容量化が進んでいる。この単相変圧器の大容量化に伴い、モーター巻線の焼損等を保護するモーターの欠相保護リレーが、電圧不平衡によって、作動するなどの三相不平衡の問題が顕在化している状況にある。また、今後加速することが予想される、家庭用分散型電源の拡大等により、この三相不平衡の問題が顕著になることが予測される。
【０００３】
この三相不平衡の抑制及び改善は、新設する単相変圧器を負荷の少ない相に接続していくことにより可能になる。このために、単相変圧器を新設する工事箇所などでは、相判別を行う必要がある。
【０００４】
相判別を行う方法には、目視による方法と、同期検定による方法とがある。
【０００５】
目視による相判別は、変電所など相を確定できる箇所（相確定箇所）から、工事箇所などの、相判別を行う箇所（相判別箇所）まで、配電線を目視しながら追っていくことで行われる。
【０００６】
一方、同期検定による相判別は、相確定箇所及び相判別箇所において、各相の対地電圧の、振幅及び位相を測定し、両箇所での測定結果を同期させて行われる。この同期検定には、ＧＰＳ（Ｇｌｏｂａｌ  Ｐｏｓｉｔｉｏｎｉｎｇ  Ｓｙｓｔｅｍ）を用いて行われるもの（例えば、特許文献１又は２参照）と、携帯無線を用いて行われるもの（例えば、特許文献３参照）が知られている。
【先行技術文献】
【特許文献】
【０００７】
【特許文献１】特開２００１−２１５２４８号公報
【特許文献２】特開２００３−５７２８６号公報
【特許文献３】特開２０００−１６２２５８号公報
【発明の概要】
【発明が解決しようとする課題】
【０００８】
ここで、目視による相判別は、相確定箇所から相判別箇所まで、配電線路を目視しながら追っていかなければならないので、多大な労力が必要となる。
【０００９】
また、ＧＰＳを用いて行われる同期検定による相判別は、使用される装置が高価である。一方、携帯無線を用いて行われる同期検定による相判別は、同時に２台の高所作業車が必要となるほか、無線デジタル化により、現在用いている装置が今後使用できなくなる。
【００１０】
そこで、この出願に係る発明者らが鋭意研究を行ったところ、各相の対地電圧と、配電線の各相対地静電容量や対地電圧の不平衡により常時残留している零相電圧との位相差は、時間による変動がほとんどなく、各相の対地電圧と、零相電圧との位相差により、相判別が可能になることを見出した。
【００１１】
この発明は、上述の従来の相判別方法がそれぞれ有する課題に鑑みてなされたものであり、この発明の目的は、相判別箇所において、三相の高圧配電線路を構成する各相の配電線の相判別を、安価な装置を用いて簡易に行う相判別方法と、相判別に用いられる相判別装置を提供することにある。
【課題を解決するための手段】
【００１２】
上述した目的を達成するために、この発明の、三相の配電線路を構成する各相の配電線の相を判別する方法は、相判別箇所において行われる以下の過程を備えている。
【００１３】
先ず、少なくとも１つの配電線の対地電圧と、零相電圧をそれぞれ測定する。次に、対地電圧と、零相電圧との位相差を取得する。次に、相判別箇所での位相差と、予め測定された相確定箇所での確定位相差とを比較することにより、相を判別する。
【００１４】
また、この発明の相判別装置は、３つの主高圧コンデンサと、３つの対地電圧測定用コンデンサと、零相電圧測定用コンデンサとを備えて構成される。３つの主高圧コンデンサは、三相の配電線に、それぞれ一端が接続される。３つの対地電圧測定用コンデンサは、３つの主高圧コンデンサの他端に、それぞれ直列に設けられている。また、零相電圧測定用コンデンサは、一端が３つの対地電圧測定用コンデンサに接続され、他端が接地される。
【発明の効果】
【００１５】
この発明の相判別方法及び相判別装置によれば、時間による変動がほとんどない、各相の対地電圧と、零相電圧との位相差を利用して、相判別を行うので、安価な装置を用いて、簡易に相判別を行うことができる。
【図面の簡単な説明】
【００１６】
【図１】ａ相、ｂ相、ｃ相及び零相の関係を説明するための図である。
【図２】複数の変電所における、任意の日での零相電圧の測定結果を示す図である。
【図３】零相電圧の測定系を示す、等価回路図である。
【図４】零相電圧の比較的小さいバンクでの、零相電圧の位相差と、電圧を示す図である。
【図５】零相電圧の比較的大きいバンクでの、零相電圧の位相差と、電圧を示す図である。
【図６】相判別用ＺＰＤを用いた相判別方法を説明するための模式図である。
【図７】相判別用ＺＰＤを用いて行った、相判別試験の実験線路を説明するための模式図である。
【図８】相判別用ＺＰＤを用いて行った、相判別試験の結果を示す図である。
【図９】相判別方法の第２の例を説明するための模式図である。
【図１０】地絡方向表示器用センサーとメモリーハイコーダで測定された電圧波形と、これら各相の電圧波形を合成した零相電圧の波形を示す図である。
【図１１】フーリエ解析後の抽出された電圧波形を示す図である。
【発明を実施するための形態】
【００１７】
以下、図を参照して、この発明の実施の形態について説明するが、各構成要素の配置関係については、この発明が理解できる程度に概略的に示したものに過ぎない。また、以下、この発明の好適な構成例につき説明するが、各構成要素の材質及び数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００１８】
図１を参照して、三相対地電圧と、零相電圧について説明する。以下、便宜的に、三相をａ相、ｂ相及びｃ相として説明する。図１（Ａ）及び（Ｂ）は、ａ相、ｂ相、ｃ相及び零相の関係を説明するための図である。図１（Ａ）は、ａ相、ｂ相、ｃ相及び零相の関係を示す模式図である。また、図１（Ｂ）は、ａ相、ｂ相、ｃ相及び零相の電圧波形を示す図である。図１（Ｂ）では、横軸に時間（任意単位）を取って示し、縦軸に各相の対地電圧（単位：Ｖ）を取って示している。図１（Ｂ）中、曲線Ｉ、ＩＩ、ＩＩＩ及びＩＶは、それぞれ、ａ相、ｂ相、ｃ相及び零相の電圧波形を示している。なお、図１（Ｂ）に示される、各相対地電圧の電圧値は測定値であって、配電線の電圧を分圧するなどして得られている。
【００１９】
三相対地電圧は、互いに位相が１２０°ずれている。すなわち、ａ相、ｂ相及びｃ相のそれぞれの間の位相差は、１２０°となっている。三相のそれぞれの間の位相差には、場所や時間による変動は、ほとんどない。従って、零相電圧の位相に、場所や時間による変動が無ければ、零相電圧と三相対地電圧との位相差θにより、相判別を行うことができる。
【００２０】
零相電圧（Ｖ０）は、式（１）で与えられる。ここで、Ｃａ、Ｃｂ、Ｃｃは、各相の対地静電容量であり、Ｅａ、Ｅｂ、Ｅｃは、各相の対地電圧であり、Ｒｇは地絡抵抗であり、及び、Ｒｎは変電所内に設けられる接地用変圧器（ＥＶＴ：Ｅａｒｔｈｉｎｇ  Ｖｏｌｔａｇｅ  Ｔｒａｎｓｆｏｒｍｅｒ）の制限抵抗である。
【００２１】
【数１】
2011242195.tif 000003
【００２２】
式（１）の地絡抵抗Ｒｇを無限大にすると、式（２）が得られる。式（２）から、残留零相電圧（Ｖ０Ｚ）は、各相の対地静電容量Ｃａ、Ｃｂ及びＣｃの不平衡や、各相の対地電圧Ｅａ、Ｅｂ及びＥｃの不平衡により発生することがわかる。
【００２３】
【数２】
2011242195.tif 000004
【００２４】
なお、一般に、零相電圧は、地絡事故時に発生するものを指し、残留零相電圧は、地絡事故が発生していないときでも常時発生しているものを指すことがあるが、以下の説明では、三相の中性点の対地電圧を、零相電圧と称するものとする。
【００２５】
図１は、１つの相の配電線としてａ相に着目し、零相電圧Ｖ０とａ相対地電圧との位相差をθとした例を示している。
【００２６】
図２は、複数の変電所における、零相電圧の測定結果の例を示す図である。多くの変電所では、１４Ｖ以上の零相電圧が測定可能である。各変電所で測定された零相電圧は、最小１４Ｖ、最大１６０Ｖ、及び、平均５１Ｖであり、ほとんど全ての変電所の配電用変圧器（バンク）において、零相電圧が測定可能な値となっている。このため、各変電所において、零相電圧と、三相対地電圧の位相差を求めることができる。そこで、これら変電所を相確定箇所として、相確定箇所における三相対地電圧と零相電圧の位相差を利用して、相判別を行うことができる。
【００２７】
先ず、零相電圧の、測定場所による変動について検討する。図３は、零相電圧の測定系を示す、等価回路図である。零相電圧Ｖ０の測定は、ＥＶＴの制限抵抗Ｒｎの両端の電圧の測定に対応する。従って、配電線路（図３中、Ｉで示す。）のどの部分で測定しても、その振幅及び位相は一定となる。すなわち、図３に示す例では、配電線路の異なる箇所で測定した零相電圧Ｖ０１、Ｖ０２及びＶ０３は、Ｖ０１＝Ｖ０２＝Ｖ０３＝Ｖ０の関係を満たす。このように、零相電圧の振幅及び位相は、場所により変動しない。
【００２８】
次に、零相電圧の時間による変動について検討する。零相電圧の比較的小さいバンクと、零相電圧の比較的大きいバンクの、それぞれについて、零相電圧とａ相対地電圧との位相差と、零相電圧の電圧を約２週間測定した。図４及び図５に測定結果が示されている。
【００２９】
図４は、一例として、零相電圧の比較的小さいバンクでの、零相電圧とａ相対地電圧との位相差と、零相電圧の電圧値を示している。図４では、横軸に時間を取って示し、縦軸に零相電圧とａ相対地電圧の位相差（°）及び零相電圧の電圧値（Ｖ）を取って示している。図４中、曲線Ｉは、零相電圧とａ相対地電圧の位相差を示しており、曲線ＩＩは、零相電圧の電圧値を示している。
【００３０】
図４に示されるように、通常系統時は、位相差（Ｉ）は４５°程度で時間的変動はなく、また、電圧値（ＩＩ）についても５５Ｖ程度で変動は無かった。また、系統切替を実施した場合（図４中、ＩＩＩで示す部分）は、位相差が７０°程度に変動し、電圧値は２０Ｖ程度に変動した。
【００３１】
図５は、他の例として、零相電圧の比較的大きいバンクでの、零相電圧とａ相対地電圧の位相差と、零相電圧の電圧値を示している。図５では、横軸に時間を取って示し、縦軸に零相電圧とａ相対地電圧の位相差（°）及び零相電圧の電圧値（Ｖ）を取って示している。図５中、曲線Ｉは、零相電圧とａ相対地電圧の位相差を示しており、曲線ＩＩは、零相電圧の電圧値を示している。
【００３２】
図５に示されるように、通常系統時は、位相差（Ｉ）は３５°程度で時間的変動はなく、また、電圧値（ＩＩ）についても８０Ｖ程度で変動は無かった。また、系統切替を実施した場合（図５中、ＩＩＩで示す部分）は、位相差が１８°程度に変動し、電圧値は５０Ｖ程度に変動した。また、図５中、バンクを停止した場合をＩＶで示している。
【００３３】
このように、通常系統時は、零相電圧の三相電圧に対する位相差は、ほぼ一定であり、零相電圧の位相は、時間的に変動しないことが確認された。
【００３４】
（相判別方法の第１の例）
図１〜図５を参照して説明したように、各相の対地電圧と、零相電圧との位相差には、時間や場所による変動がほとんどない。このため、相判別箇所において相判別を行うに当たっては、同期検定は必要なく、例えば、相確定箇所で位相差を取得した後、相確定箇所で用いた測定装置を用いて、相判別箇所で位相差を取得し、両者を比較することにより、相を判別することができる。
【００３５】
この実施形態の相判別方法では、先ず、相確定箇所において、確定位相差として、各相の対地電圧と零相電圧との位相差を取得する。その後、相判別箇所において、各相の対地電圧と零相電圧との位相差を取得する。
【００３６】
各相の対地電圧と零相電圧との位相差の取得には、例えば、相判別用コンデンサ型零相電圧検出器（相判別用ＺＰＤ：Ｚｅｒｏ  ｐｈａｓｅ  ｐｏｔｅｎｔｉａｌ  ｄｅｖｉｃｅ）を用いることができる。
【００３７】
図６は、相判別方法の第１の例として、相判別装置として相判別用ＺＰＤを用いた相判別方法を説明するための模式図である。相判別用ＺＰＤ１０は、３つの主高圧コンデンサ１２ａ、１２ｂ及び１２ｃと、３つの対地電圧測定用コンデンサ１４ａ、１４ｂ及び１４ｃと、零相電圧測定用コンデンサ１６とを備えて構成される。
【００３８】
主高圧コンデンサ１２及び対地電圧測定用コンデンサ１４は、相ごとに設けられている。ａ相用の主高圧コンデンサ１２ａは、ａ相の配電線２０ａに一端が接続され、他端がａ相用の対地電圧測定用コンデンサ１４ａの一端に接続されている。ｂ相用の主高圧コンデンサ１２ｂは、ｂ相の配電線２０ｂに一端が接続され、他端がｂ相用の対地電圧測定用コンデンサ１４ｂの一端に接続されている。また、ｃ相用の主高圧コンデンサ１２ｃは、ｃ相の配電線２０ｃに一端が接続され、他端がｃ相用の対地電圧測定用コンデンサ１４ｃの一端に接続されている。
【００３９】
対地電圧測定用コンデンサ１４ａ、１４ｂ及び１４ｃの、主高圧コンデンサ１２ａ、１２ｂ及び１２ｃに接続される一端とは反対側の他端は、零相電圧測定用コンデンサ１６の一端に接続されている。零相電圧測定用コンデンサ１６の他端は接地されている。
【００４０】
相判別用ＺＰＤは、さらに、電圧信号取得部と、位相差取得部とを備えている。この電圧信号取得部は、複数の電圧信号を取得し、適宜ＲＡＭ（Ｒａｎｄｏｍ  Ａｃｃｅｓｓ  Ｍｅｍｏｒｙ）などに格納する。また、位相差取得部は、電圧信号取得部が取得した複数の電圧信号のうち、所定の２つの電圧信号を、ＲＡＭから読み出すなどした後、両者の位相差を取得する。これら、電圧信号取得部及び位相差取得部は、従来周知の任意好適な構成にすることができる。
【００４１】
ここでは、電圧信号取得部は、対地電圧として、対地電圧測定用コンデンサ１４の両端の電位差を取得するとともに、零相電圧として、零相電圧測定用コンデンサ１６の両端の電位差を取得する。また、位相差取得部は、３相の対地電圧の少なくとも１つと、零相電圧との位相差を取得する。
【００４２】
対地電圧測定用コンデンサ１４ａ、１４ｂ及び１４ｃと、主高圧コンデンサ１２ａ、１２ｂ及び１２ｃで、配電線の対地電圧は分圧される。例えば、主高圧コンデンサ１２ａ、１２ｂ及び１２ｃの容量を５〜６ｐＦとし、対地電圧用コンデンサ１４ａ、１４ｂ及び１４ｃの容量を１μＦとし、零相電圧用コンデンサ１６の容量を０．５μＦとする。
【００４３】
ここで、主高圧コンデンサ１２ａ、１２ｂ及び１２ｃは、主高圧コンデンサ１２ａ、１２ｂ及び１２ｃと対地電圧測定用コンデンサ１４ａ、１４ｂ及び１４ｃの電圧が同位相となり、３個の主高圧コンデンサ１２ａ、１２ｂ及び１２ｃの静電容量が同程度の値を持っていることが条件となる。
【００４４】
次に、図６を参照して説明した相判別用ＺＰＤを用いて行った、検証実験について説明する。図７は、相判別用ＺＰＤを用いて行った、相判別試験の実験線路を説明するための模式図である。
【００４５】
実験線路では、接地用コンデンサ１１０として、０．５μＦを４台と、０．２μＦを１台用いて、対地静電容量を不平衡とすることにより、２００Ｖの零相電圧を発生させて測定を行った。また、自動電圧調整器（ＳＶＲ：Ｓｔｅｐ  Ｖｏｌｔａｇｅ  Ｒｅｇｕｌａｔｏｒ）１２０のタップを切換えて、昇圧による変化を測定した。
【００４６】
図８は、相判別用ＺＰＤを用いて行った、相判別試験の結果を示す図であり、ａ相、ｂ相、ｃ相及び零相の電圧波形を示している。図８では、横軸に時間（単位：ｍｓ）を取って示し、縦軸に各相対地電圧の電圧値（単位：Ｖ）及び零相電圧の電圧値（単位：Ｖ）を取って示している。図８中、曲線Ｉ、ＩＩ、ＩＩＩ及びＩＶは、それぞれ、ａ相、ｂ相、ｃ相及び零相の電圧波形を示している。
【００４７】
表１に示されるように、第１のフィーダ（給電線）１０１と、第２のフィーダ１０２におけるＳＶＲ１２０の電源側では、ａ相と零相の位相差は３０５°〜３０７°となり、非常に高い精度で位相差が一致している。
【００４８】
第２のフィーダ（Ｆ−２）１０２の負荷側では、ＳＶＲ１２０のタップを３とした場合は、位相差が３０５°となり、第１のフィーダ（Ｆ−１）１０１などと位相差が一致している。しかし、ＳＶＲ１２０のタップを６として、昇圧した場合は、位相差が３５２°となり、位相がずれている。
【００４９】
【表１】
2011242195.tif 000005
【００５０】
以上説明したように、ＳＶＲ１２０の電源側では、相判別用ＺＰＤを用いて、高い精度で相判別が可能となることが確かめられた。なお、ＳＶＲ１２０の電源側と負荷側とでは、位相差が一致しない場合があるので、ＳＶＲ１２０の負荷側では高い精度での相判別は困難である。また、系統切替時には、零相電圧の位相がずれるため、相判別を行うことはできない。
【００５１】
（相判別方法の第２の例）
三相電圧の、零相電圧に対する位相差を測定する方法として、配電線において地絡箇所の方向を表示する装置（例えば、電研社製の高圧地絡方向表示器）用のセンサー（以下、地絡方向表示器用センサーと称する。）と、メモリーハイコーダ（例えば、ＨＩＯＫＩ社製）等の瞬時値の測定及び記憶が可能な瞬時値測定器を用いる方法がある。
【００５２】
図９を参照して、相判別方法の第２の例について説明する。図９は、相判別方法の第２の例を説明するための模式図である。
【００５３】
この方法では、三相の配電線２０ａ、２０ｂ及び２０ｃに、それぞれ一端が接続される、３つの主高圧コンデンサ３２ａ、３２ｂ及び３２ｃと、３つの主高圧コンデンサ３２の他端に、それぞれ直列に設けられた３つの終端抵抗３４ａ、３４ｂ及び３４ｃを備えた回路について、終端抵抗３４の両端の電圧を、三相対地電圧として取得する。なお、終端抵抗３４の他端は接地される。
【００５４】
例えば、主高圧コンデンサ３２の容量を１０ｐＦとし、終端抵抗３４を１００ｋΩとすると、配電線２０の電位が３８１０Ｖのとき、測定される電圧としては、０．３２４Ｖ程度となる。
【００５５】
零相電圧波形は、各相の電圧波形を合成して得られる。
【００５６】
図１０は、地絡方向表示器用センサーと瞬時値測定器で測定された電圧波形と、これら各相の電圧波形を合成した零相電圧の波形の例を示す図である。この測定例では、高調波分が増幅され歪んだ波形となっている。
【００５７】
このままでは、位相の判定が難しいので、フーリエ解析により、三相対地電圧の電圧波形と、零相電圧の電圧波形から、５０Ｈｚ成分を抽出して、位相比較を行った。図１１は、フーリエ解析後の抽出された電圧波形を示す図である。
【００５８】
図１０及び図１１では、横軸に時間（単位：ｍｓ）を取って示し、縦軸に各相対地電圧の電圧値（単位：Ｖ）及び零相電圧の電圧値（単位：Ｖ）を取って示している。図１０及び図１１中、曲線Ｉ、ＩＩ、ＩＩＩ及びＩＶは、それぞれ、ａ相、ｂ相、ｃ相及び零相の電圧波形を示している。
【００５９】
この手法で取得した、三相対地電圧と、零相電圧の位相差を表２に示す。
【００６０】
【表２】
2011242195.tif 000006
【００６１】
表２では、３つのバンクについて、各々フィーダを変えて測定を行った結果が示されている。なお、ここでは、予め目視にて確認したａ相（青相）と、零相との位相差を調べている。
【００６２】
各バンクとも、３箇所中２箇所については、ほぼ同位相となっているが、１箇所は、同相と判断できない。これは、零相電圧の電圧波形を求める際に、３相の波形を合成するので、ばらつきが増幅され、その結果、零相電圧の位相がずれて、位相差に誤差が生じたものと考えられる。
【００６３】
従って、この相判別方法の第２の例の実施にあたっては、各相の振幅の誤差の影響を考慮する必要がある。
【００６４】
（相判別方法の第３の例）
三相電圧の、零相電圧に対する位相差を測定する方法として、地絡方向表示器用センサーと瞬時値測定器等を用いて、三相電圧の電圧波形を取得し、零相電圧の電圧波形をＺＰＤが内蔵する高圧開閉器と瞬時値測定器等から取得する方法もある。
【００６５】
ＺＰＤを内蔵する高圧開閉器から取得される零相電圧は、機器の仕様上、位相がずれ、また、地絡方向表示器用センサーの対地電圧は、ＲＣ直列回路のＲ側で測定することから、位相がずれる。これらのずれを考慮して、算出された位相差を表３に示す。
【００６６】
【表３】
2011242195.tif 000007
【００６７】
３つの開閉器で得られた位相差は、１５°〜３１°の値となっている。このように、３箇所での位相差は、±８°程度の範囲で一致しており、相判別には十分な精度が得られている。
【符号の説明】
【００６８】
１０    相判別用ＺＰＤ    
１２    主高圧コンデンサ    
１４    対地電圧測定用コンデンサ
１６    零相電圧測定用コンデンサ
２０    配電線
１０１、１０２    フィーダ
１１０    接地用コンデンサ
１２０    ＳＶＲ
【図１】
2011242195.tif 000008
【図２】
2011242195.tif 000009
【図３】
2011242195.tif 000010
【図４】
2011242195.tif 000011
【図５】
2011242195.tif 000012
【図６】
2011242195.tif 000013
【図７】
2011242195.tif 000014
【図８】
2011242195.tif 000015
【図９】
2011242195.tif 000016
【図１０】
2011242195.tif 000017
【図１１】
2011242195.tif 000018